(57)【要約】【課題】従来の立体形成部体の場合のように冊子の一部としてその所要部位に装架して利用することができ、また、例えばカレンダーに適用して、その意外性を付与したり付加価値を高めるのに好適な起伏自在組立て装飾体の提供。【解決手段】水平支持板ｂ１等が、直線辺縁と変形辺縁とからなる輪郭形状をなし、直線辺縁に挿込み噛合手段ｇ１等を形成するとともに変形辺縁寄りに挿込み噛合手段ｈ１等を形成してなり、それらが垂直支持主板ａに対しが互いの挿込み噛合手段との噛合により連繋するとともに、水平支持板ｂ１等と垂直支持副板ｃとが互いの挿込み噛合手段ｈ１等とｉ１等との噛合により連繋し、全体として一種の複合リンク機構をなし、垂直支持主板ａに対し水平支持板ｂ１等および垂直支持副板ｃがそれぞれ所定方向に回動して重合し扁平状態または元の組立て状態に回動するようにしてなる。【選択図】  図１
2004351113.tif 000002
【特許請求の範囲】
【請求項１】
（１）  複数枚の水平支持板の各々が、直線辺縁と変形辺縁とからなる輪郭形状をなし、その直線辺縁に挿込み噛合手段を形成するとともに上記変形辺縁寄りに挿込み噛合手段を形成してなり、
垂直支持主板が、上記水平支持板の枚数と同じ数の挿込み噛合手段を形成してなり、
垂直支持副板が、同じく上記水平支持板の枚数と同じ数の挿込み噛合手段を形成してなり、
（２）  これら垂直支持主板と水平支持板とが互いの挿込み噛合手段の噛合により連繋し、また、水平支持板と垂直支持副板とが互いの挿込み噛合手段との噛合により連繋し、全体として一種の複合リンク機構をなし、
（３）  垂直支持主板と垂直支持副板との間に相対的に上下に移動する方向の力が作用すると、上記各挿込み噛合手段において、垂直支持主板に対し上記水平支持板および垂直支持副板がそれぞれ所定方向に回動して重合し扁平状態になり、
（４）  その扁平状態において、垂直支持主板と垂直支持副板との間に上記とは反対方向の力が作用すると、上記各挿込み噛合手段において、垂直支持主板に対し水平支持板および垂直支持副板が、それぞれ上記所定方向とは反対方向に回動して元の組立て状態に戻ることができるようにしてなることを特徴とする起伏自在組立て装飾体。
【請求項２】
上記垂直支持主板が、その上側部分に、所要の切込み線と垂直折曲線で囲繞形成した吊下片を起伏自在に備え、上記垂直支持副板が該吊下片に対向する部位に縦溝を備え、その縦溝を上記吊下片に嵌合してなることを特徴とする請求項１記載の起伏自在組立て装飾体。
【請求項３】
（１）  上記垂直支持主板の挿込み噛合手段が、該垂直支持主板の厚さの約３〜４倍の幅の複数の切込み線を一直線上に所要の間隔で設け、かつ、その各切込み線の両端部に該垂直支持主板の厚さの約３〜４倍の幅にした角形の小透孔を連設し、その間の部分を凸片としてなり、
（２）  上記水平支持板の直線辺縁に形成した挿込み噛合手段が、該各水平支持板の厚さの約３〜４倍の幅で所要長さの細溝を、コ字形突枠により囲繞形成してなり、
（３）  上記コ字形突枠を上記凸片に当接した状態において押し込むことにより、そのコ字形突枠の各短辺と上記記小透孔を噛合させるとともに、上記細溝と凸片を噛合させてなることを特徴とする請求項１または２記載の起伏自在組立て装飾体。
【請求項４】
請求項４記載の本発明は、
（１）  上記水平支持板の変形辺縁寄りに複数の挿込み噛合手段が、該各水平支持板の厚さの約３〜４倍の幅で所要長さの細溝を所要の間隔で列設するとともに、前端を該水平支持板の辺縁に開口させた細溝と隣り合う細溝との間を切込み線で接続し、その間の部分を凸片としてなり、
（２）  上記垂直支持副板の複数の挿込み噛合手段が、該垂直支持副板の厚さの約３〜４倍の幅で所要長さの細溝を所要の間隔で列設するとともに、後端を該垂直支持副板の後端辺縁に開口させた細溝と隣り合う細溝との間を切込み線で接続し、その間の部分を凸片としてなり、
（３）  垂直支持副板の挿込み噛合手段の細溝と水平支持板の挿込み噛合手段の細溝とが互いに相手方の無溝部分に噛合するとともに、後者の細溝と前者の凸片が噛合するとともに、前者の凸片と後者の細溝が噛合してなることを特徴とする請求項１，２または３記載の起伏自在組立て装飾体。
【発明の詳細な説明】
【０００１】
【発明の属する技術分野】
本発明は、複数の薄層パーツをたがいに係合または噛合することにより起伏自在に組み立てた起伏自在組立て装飾体に関する。
【０００２】
【従来の技術】
従来、折り畳み式のカードやカタログ、絵本等（以下「冊子」という。）に立体形成部体を設け、その立体形成部体を冊子の開閉に連動して起伏するようにしたものが各種知られている。
上記立体形成部体としては、冊子の連続する２紙葉（頁）にわたる部分に所要の切込みと折曲線を所望の形状にして形成するもの（特許文献１）、あるいはまた、所要の折曲線を入れて所要の輪郭形状にした少なくとも１以上の紙片を単独または組み合わせて、冊子の連続する２紙葉（頁）にわたる部分に糊付け固定してなるもの（特許文献２）がある。
【０００３】
【特許文献１】
特開平８−１９１９６１号公報
【特許文献２】
特開平９−２０１４７９号公報
【０００４】
【発明が解決しようとする課題】
上記従来の立体形成部体は、その切込みまたは折曲線の形状や輪郭形状を変化させることにより、ある程度目先感の変わったものにすることができるとはいえ、冊子の連続する紙葉（頁）自体に所要の切込みと折曲線を所望の形状にして形成するとか、所要の折曲線を入れて所要の輪郭形状にした少なくとも１以上の紙片を単独または組み合わせ状態にして、冊子の連続する２紙葉（頁）に糊付け固定するといった構成自体が、陳腐化しているため、切込みまたは折曲線の形状等を変える程度では、もはや新鮮味や奇抜感を出すにも限界状態になっていると認められる。
【０００５】
本発明は、上記従来の立体形成部体では得られない新鮮さや奇抜さを表現できるようにするために提案されたもので、複数の薄層パーツをたがいに係合または噛合することにより組み立てられ、垂直支持主板が起立するのに伴って立体化し、また、その垂直支持主板が伏倒するのに伴っ扁平化するようにした起伏自在組立て装飾体である。
【０００６】
本発明装飾体は、それ自体で単体の商品となり得るとともに、上記従来の立体形成部体の場合のように冊子の一部としてその所要部位に装架して利用することができ、また、例えばカレンダーに適用して、その意外性を付与したり付加価値を高めるのに好適なものである。
【０００７】
【課題を解決するための手段】
請求項１記載の本発明起伏自在組立て装飾体は、
（１）  複数枚の水平支持板ｂ１，ｂ２，ｂ３の各々が、直線辺縁と変形辺縁とからなる輪郭形状をなし、その直線辺縁に挿込み噛合手段ｇ１，ｇ２，ｇ３を形成するとともに上記変形辺縁寄りに挿込み噛合手段ｈ１，ｈ２，ｈ３を形成してなり、
垂直支持主板ａが、上記水平支持板ｂ１，ｂ２，ｂ３の枚数と同じ数の挿込み噛合手段ｅ１，ｅ２，ｅ３を形成してなり、
垂直支持副板ｃが、同じく上記水平支持板ｂ１，ｂ２，ｂ３の枚数と同じ数の挿込み噛合手段ｉ１，ｉ２，ｉ３を形成してなり、
（２）  これら垂直支持主板ａと水平支持板ｂ１，ｂ２，ｂ３とが互いの挿込み噛合手段ｅ１，ｅ２，ｅ３とｇ１，ｇ２，ｇ３との噛合により連繋するとともに、水平支持板ｂ１，ｂ２，ｂ３と垂直支持副板ｃとが互いの挿込み噛合手段ｈ１，ｈ２，ｈ３とｉ１，ｉ２，ｉ３との噛合により連繋し、全体として一種の複合リンク機構をなし、
（３）  垂直支持主板ａと垂直支持副板ｃとの間に相対的に上下に移動する方向の力が作用すると、挿込み噛合手段ｅ１，ｅ２，ｅ３、ｇ１，ｇ２，ｇ３、ｈ１，ｈ２，ｈ３、ｉ１，ｉ２，ｉ３において、垂直支持主板ａに対し水平支持板ｂ１，ｂ２，ｂ３および垂直支持副板ｃがそれぞれ所定方向に回動して重合し扁平状態になり、
（４）  その扁平状態において、垂直支持主板ａと垂直支持副板ｃとの間に上記とは反対方向の力が作用すると、上記各挿込み噛合手段ｅ１，ｅ２，ｅ３、ｇ１，ｇ２，ｇ３、ｈ１，ｈ２，ｈ３、ｉ１，ｉ２，ｉ３において、垂直支持主板ａに対し水平支持板ｂ１，ｂ２，ｂ３および垂直支持副板ｃが、それぞれ上記所定方向とは反対方向に回動して元の組立て状態に戻ることができるようにしてなるものである。
【０００８】
請求項２記載の本発明は、上記垂直支持主板ａが、その上側部分に、所要の切込み線１１と垂直折曲線１２で囲繞形成した吊下片ｆを起伏自在に備え、上記垂直支持副板ｃが該吊下片ｆに対向する部位に縦溝２６を備え、その縦溝２６を上記吊下片ｆに嵌合してなる請求項１記載の起伏自在組立て装飾体である。
【０００９】
請求項３記載の本発明は、
（１）  上記垂直支持主板ａの挿込み噛合手段ｅ１，ｅ２，ｅ３が、該垂直支持主板ａの厚さの約３〜４倍の幅の複数の切込み線５，６，７を一直線上に所要の間隔で設け、かつ、その各切込み線５，６，７の両端部に該垂直支持主板ａの厚さの約３〜４倍の幅にした角形の小透孔５′，５″、６′，６″、７′，７″を連設し、その間の部分を凸片８，９，１０としてなり、
（２）  上記水平支持板ｂ１，ｂ２，ｂ３の直線辺縁に形成した挿込み噛合手段ｇ１，ｇ２，ｇ３が、該各水平支持板ｂ１，ｂ２，ｂ３の厚さの約３〜４倍の幅で所要長さの細溝１４，１５，１６を、コ字形突枠１４′，１５′，１６′により囲繞形成してなり、
（３）  上記コ字形突枠１４′，１５′，１６′を上記凸片８，９，１０に当接した状態において押し込むことにより、コ字形突枠１４′，１５′，１６′の各短辺と前記小透孔５′，５″、６′，６″、７′，７″を噛合させるとともに、細溝１４，１５，１６と凸片８，９，１０を噛合させてなる請求項１または２記載の起伏自在組立て装飾体である。
【００１０】
請求項４記載の本発明は、
（１）  上記水平支持板ｂ１，ｂ２，ｂ３の変形辺縁寄りに挿込み噛合手段ｈ１，ｈ２，ｈ３が、該各水平支持板ｂ１，ｂ２，ｂ３の厚さの約３〜４倍の幅で所要長さの細溝１７，１８，１９を所要の間隔で列設するとともに、その細溝１７と１８との間を切込み線２０で接続し、その間の部分を凸片２０′とするとともに、細溝１７の前端を各水平支持板の辺縁に開口させてなり、
（２）  上記垂直支持副板ｃの挿込み噛合手段ｉ１，ｉ２，ｉ３が、該垂直支持副板ｃの厚さの約３〜４倍の幅で所要長さの細溝２１，２２，２３を所要の間隔で列設するとともに、その細溝２２と２３との間を切込み線２４で接続し、その間の部分を凸片２５とするとともに、細溝２３の後端を該垂直支持副板ｃの後端辺縁に開口させてなり、
（３）  垂直支持副板ｃの挿込み噛合手段ｉ１，ｉ２，ｉ３の細溝２１〜２３と水平支持板ｂ１，ｂ２，ｂ３の挿込み噛合手段ｈ１，ｈ２，ｈ３の細溝１７〜１９とが互いに相手方の無溝部分に噛合するとともに、後者の細溝２１と前者の凸片２０′が噛合するとともに、前者の凸片２５と後者の細溝１９が噛合してなる請求項１，２または３記載の起伏自在組立て装飾体である。
【００１１】
【発明の実施の形態】
以下本発明を図示の実施形態について詳しく説明する。
【００１２】
この実施形態は、フグ目マンボウ科の海産魚マンボウの体型に具現化したもので、それは、紙または合成樹脂製の薄層板から切り抜きまたは打ち抜きした複数のパーツ、さらに具体的には、１枚の方形の垂直支持主板ａと、この垂直支持主板ａに基端辺縁を起伏自在に連繋した３枚の水平支持板ｂ１，ｂ２，ｂ３、および、その３枚の水平支持板ｂ１，ｂ２，ｂ３の各遊端辺縁側に起伏自在に連繋した１枚の垂直支持副板ｃから組み立てられる。
【００１３】
ｄは上記垂直支持主板ａの表面に描いたマンボウの輪郭を表す図形で、頭部１に続く主部２の上下に背びれ部３およびしりびれ部４を表したものとしている。
【００１４】
ｅ１，ｅ２，ｅ３は、上記図形ｄ内であって、上記頭部１および主部２にわたり、マンボウの体軸線に沿う位置とその上下に所要の間隔をおいて３段に形成した挿込み噛合手段である。
その各挿込み噛合手段ｅ１，ｅ２，ｅ３は、所要の長さの切込み線５，６，７をマンボウの体長方向に所要の間隔で列設するとともに、さらに、その各切込み線５，６，７の両端部に該垂直支持主板ａの厚さの約３〜４倍の幅にした角形の小透孔５′，５″、６′，６″、７′，７″を連設し、その間の部分を凸片８，９，１０としてなるものである。
【００１５】
ｆは、上記背びれ部３の付け根の部分すなわち垂直支持主板ａの上側部分に、概略鋭角隅角形の切込み線１１と垂直折曲線１２で囲繞形成した吊下片で、それは、遊端に先端突部ｆ′を有し、上記折曲線１２において折曲することにより垂直支持主板ａに対しほぼ直角に起こしたり元の状態に戻したりでき、直角に起こしたとき窓孔１３が開口する。
【００１６】
次に、上記水平支持板ｂ１，ｂ２，ｂ３は、図３に示すように、それぞれの輪郭形状を、マンボウをその体軸線を含む水平面、その上側に所要の間隔をおいた平行面、その下側に所要の間隔をおいた平行面の各々における半身の外形を表した概略半長楕円形をなしている。
すなわち、水平支持板ｂ１，ｂ２，ｂ３は、その輪郭形状を、一側の直線辺縁と他側のほぼ弧状等の変形辺縁とで囲繞した状態をなすものである。
【００１７】
ｇ１，ｇ２，ｇ３は、その水平支持板ｂ１，ｂ２，ｂ３の直線辺縁に形成した挿込み噛合手段で、それは、該各水平支持板ｂ１，ｂ２，ｂ３の厚さの約３〜４倍の幅で所要長さの細溝１４，１５，１６を、コ字形突枠１４′，１５′，１６′により囲繞形成してなる。
【００１８】
また、これら水平支持板ｂ１，ｂ２，ｂ３の挿込み噛合手段ｇ１，ｇ２，ｇ３は、垂直支持主板ａの上記挿込み噛合手段ｅ１，ｅ２，ｅ３に対応し、上記コ字形突枠１４′，１５′，１６′を上記凸片８，９，１０に当接した状態において押し込むと、コ字形突枠１４′，１５′，１６′の各短辺と前記小透孔５′，５″、６′，６″、７′，７″が噛合するとともに、細溝１４，１５，１６と凸片８，９，１０が噛合するように、関係各部の寸法を所定の値に設定してある（図６）。
【００１９】
ｈ１，ｈ２，ｈ３は、水平支持板ｂ１，ｂ２，ｂ３の上記変形辺縁寄りに形成した挿込み噛合手段で、それは、該各水平支持板ｂ１，ｂ２，ｂ３の厚さの約３〜４倍の幅で所要長さの細溝１７，１８，１９を所要の間隔で列設するとともに、その細溝１７と１８との間を切込み線２０で接続し、その間の部分を凸片２０′とするとともに、細溝１７の前端を各水平支持板の辺縁に開口させている。
【００２０】
さらに、上記垂直支持副板ｃは、図４に示すように、その輪郭形状を、マンボウをその体軸線を挟む含む所要左右対称部位での垂直面における外形を表したものとしている。
【００２１】
ｉ１，ｉ２，ｉ３は、垂直支持副板ｃの中段とその上下に所要の間隔をおいて、すなわち、マンボウの体軸線に沿う位置とその上下に所要の間隔をおいて３段に形成した挿込み噛合手段である。
この挿込み噛合手段ｉ１，ｉ２，ｉ３は、該垂直支持副板ｃの厚さの約３〜４倍の幅で所要長さの細溝２１，２２，２３を所要の間隔で列設するとともに、その細溝２２と２３との間を切込み線２４で接続し、その間の部分を凸片２５とするとともに、細溝２３の後端を該垂直支持副板ｃの後端辺縁に開口させている。
【００２２】
なお、２６は上記細溝２３の上側において垂直支持副板ｃに設けた縦溝で、この縦溝２６を、垂直支持主板ａの前記のようにほぼ直角に起こした吊下片ｆに嵌合することにより、上記垂直支持副板ｃを後述のごとく繋止することができる。
【００２３】
上記構成からなる１枚の方形の垂直支持主板ａと、この垂直支持主板ａに基端辺縁を起伏自在に連繋する３枚の水平支持板ｂ１，ｂ２，ｂ３、およびその３枚の水平支持板ｂ１，ｂ２，ｂ３の各遊端辺縁側に起伏自在に連繋する１枚の垂直支持副板ｃ、すなわち複数の薄層パーツは、次のように組み立てられ、マンボウの体型を具現化する。
【００２４】
それにはまず、垂直支持主板ａに水平支持板ｂ１，ｂ２，ｂ３を、互いの挿込み噛合手段ｅ１，ｅ２，ｅ３とｇ１，ｇ２，ｇ３を噛合することにより連繋させる（図６）。
その噛合連繋の様子について、図５により水平支持板ｂ１を例にして説明すると、垂直支持主板ａに水平支持板ｂ１を水平にして対向させ、前者の挿込み噛合手段ｅ１の凸片８，９，１０に後者の挿込み噛合手段ｇ１のコ字形突枠１４′，１５′，１６′を当接して押し込むことによって、凸片８，９，１０が切込み線５，６，７を拡げるようにしてめくれ、ついには、コ字形突枠１４′，１５′，１６′の両側短辺と上記小透孔５′，５″、６′，６″、７′，７″が噛合するとともに、細溝１４，１５，１６と凸片８，９，１０が噛合する（図５（ａ）〜（ｄ））。
同様の要領で、水平支持板ｂ２，ｂ３の挿込み噛合手段ｇ２，ｇ３を垂直支持主板ａの挿込み噛合手段ｅ２，ｅ３に噛合する。
【００２５】
これにより、図６に示すように、垂直支持主板ａに３枚の水平支持板ｂ１，ｂ２，ｂ３が、互いの挿込み噛合手段ｅ１，ｅ２，ｅ３とｇ１，ｇ２，ｇ３を噛合して３段に水平状態で連繋される（図６）。
【００２６】
次に、上記垂直支持副板ｃを、図６に示すように、上記３段の水平支持板ｂ１，ｂ２，ｂ３の前方に垂直に対向させるとともに、該垂直支持副板ｃの挿込み噛合手段ｉ１，ｉ２，ｉ３の細溝２３の後端開口を水平支持板ｂ１，ｂ２，ｂ３の挿込み噛合手段ｈ１，ｈ２，ｈ３の細溝１７の前端開口を一致させた状態において押進する。
【００２７】
これにより、垂直支持副板ｃの挿込み噛合手段ｉ１，ｉ２，ｉ３の細溝２１〜２３と水平支持板ｂ１，ｂ２，ｂ３の挿込み噛合手段ｈ１，ｈ２，ｈ３の細溝１７〜１９とが互いに相手方の無溝部分に噛合するもので、特に後者の細溝２１と前者の凸片２０′が噛合するとともに、前者の凸片２５と後者の細溝１９が噛合し、前者と後者は直交状態となる。
図７（ａ）〜（ｆ）は、その状態を、水平支持板ｂ１と垂直支持副板ｃとについて例示的に示したものである。
【００２８】
なお、２６は上記細溝２３の上側において垂直支持副板ｃに設けた縦溝で、この縦溝２６を、垂直支持主板ａの前記のように直角に起こした吊下片ｆに嵌合することにより、上記垂直支持副板ｃを該吊下片ｆの先端突部ｆ′に後述のごとく繋止する。
【００２９】
以上により、図１に示すように、１枚の方形の垂直支持主板ａに３枚の水平支持板ｂ１，ｂ２，ｂ３の基端辺縁を起伏自在に連繋するともに、その３枚の水平支持板ｂ１，ｂ２，ｂ３の各遊端辺縁側に１枚の垂直支持副板ｃを起伏自在に連繋した本発明装飾体Ａが組み立てられる（図１）。
【００３０】
上記から明らかなように、この装飾体Ａは、垂直支持主板ａに対し水平支持板ｂ１，ｂ２，ｂ３が上下に所要の間隔をおいて水平な状態をなし、また、その水平支持板ｂ１，ｂ２，ｂ３に垂直支持副板ｃが垂直な状態をなし、それらが挿込み噛合手段ｅ１，ｅ２，ｅ３、ｇ１，ｇ２，ｇ３、ｈ１，ｈ２，ｈ３およびｉ１，ｉ２，ｉ３で連繋された一種の複合リンク機構をなしているということができる。
【００３１】
すなわち、組立て状態の装飾体Ａは、垂直支持主板ａと垂直支持副板ｃとが相対的に上下に移動する方向の力が作用すると、挿込み噛合手段ｅ１，ｅ２，ｅ３、ｇ１，ｇ２，ｇ３、ｈ１，ｈ２，ｈ３およびｉ１，ｉ２，ｉ３において、垂直支持主板ａに対し水平支持板ｂ１，ｂ２，ｂ３が、それぞれ所定方向に回動して重合し扁平状態になることができる。
【００３２】
その扁平状態のものは、上記とは反対方向の力が作用すると、上記各挿込み噛合手段において、垂直支持主板ａに対し水平支持板ｂ１，ｂ２，ｂ３および垂直支持副板ｃが、それぞれ上記所定方向とは反対方向に回動し、元の組立て状態の装飾体Ａに戻ることができる。
【００３３】
上記組立て状態の装飾体Ａにおいて、吊下片ｆは、垂直支持主板ａからほぼ直角に起立し、その先端突部ｆ′に垂直支持副板ｃの縦溝２６が嵌合して、該垂直支持副板ｃを繋止し、これにより、垂直支持主板ａに対し垂直支持副板ｃが平垂直支持主板ａ行状態をなし、かつそれによって、水平支持板ｂ１，ｂ２，ｂ３が互いに平行をなすとともに垂直支持主板ａおよび垂直支持副板ｃに対し直交状態を、互いの挿込み噛合手段ｅ１，ｅ２，ｅ３、ｇ１，ｇ２，ｇ３、ｈ１，ｈ２，ｈ３およびｉ１，ｉ２，ｉ３によって維持するのを補助する機能を果たす（図１）。
【００３４】
その吊下片ｆは、装飾体Ａが上記組立て状態から扁平状態になろうとするときには、垂直支持副板ｃが垂直支持主板ａに接近するのにしたがって、前記垂直折曲線１２において折曲せしめられ、上記縦溝２６からさらに突出しつつその垂直支持副板ｃの表面に重合し（図９参照）、また、装飾体Ａが上記扁平状態から組立て状態になろうとするときには上記とは反対に起立し（図７参照）、上記補助機能を果たすものである。
【００３５】
上記において、垂直支持主板ａ、水平支持板ｂ１，ｂ２，ｂ３および垂直支持副板ｃが、挿込み噛合手段ｅ１，ｅ２，ｅ３、ｇ１，ｇ２，ｇ３、ｈ１，ｈ２，ｈ３およびｉ１，ｉ２，ｉ３において回動する様子は、いずれも実質上同じなので、ここでは、垂直支持主板ａと水平支持板ｂ１との間の挿込み噛合手段ｅ１とｇ１、水平支持板ｂ１と垂直支持副板ｃとの間の挿込み噛合手段ｈ１とｉ１を代表例とし、これらの回動の様子について見ることとする。
【００３６】
まず、装飾体Ａの組立て状態における垂直支持主板ａと水平支持板ｂ１との間の挿込み噛合手段ｅ１とｇ１（図５（ａ））の各部は、図５（ｂ）〜（ｄ）に示すとおり互いに直交する状態において噛合して、すなわち、挿込み噛合手段ｅ１とｇ１が、前者の凸片８，９，１０に後者の細溝１４，１５，１６を噛合する（図５（ａ）〜（ｄ））ことにより、垂直支持主板ａに水平支持板ｂ１は直交組立て状態を保持する。
【００３７】
装飾体Ａの扁平状態における垂直支持主板ａと水平支持板ｂ１との間の挿込み噛合手段ｅ１とｇ１の各部は、図８（ｂ）〜（ｄ）に示すとおり互いに斜交する状態において噛合し、これによって、垂直支持主板ａと水平支持板ｂ１は斜交扁平状態を保持する。
【００３８】
すなわち、挿込み噛合手段ｅ１とｇ１は、垂直支持主板ａと水平支持板ｂ１を直交組立て状態または斜交扁平状態に維持し、かつ、これら垂直支持主板ａと水平支持板ｂ１を直交組立て状態から斜交扁平状態に、また反対に斜交扁平状態から直交組立て状態に回動するのを許容する。
【００３９】
次に、装飾体Ａの組立て状態における水平支持板ｂ１と垂直支持副板ｃとの間の挿込み噛合手段ｈ１とｉ１（図７（ａ））の各部は、図７（ｂ）〜（ｆ）に示すとおり互いに直交する状態において噛合して、すなわち、挿込み噛合手段ｈ１とｉ１が、自己の細溝１７〜１９または２１〜２３を相手方の無溝部分に噛合する。特に、前者の凸片２０′に後者の細溝２１を噛合するとともに、後者の凸片２５と前者の細溝１９が噛合する（図７（ａ）〜（ｆ））ことにより、水平支持板ｂ１に垂直支持副板ｃが直交組立て状態を保持する。
【００４０】
装飾体Ａの扁平状態における水平支持板ｂ１と垂直支持副板ｃの間の挿込み噛合手段ｈ１とｉ１の各部は、図９（ｂ）〜（ｆ）に示すとおり互いに斜交する状態において噛合し、これによって、水平支持板ｂ１と垂直支持副板ｃは斜交扁平状態を保持する。
【００４１】
すなわち、挿込み噛合手段ｈ１とｉ１は、水平支持板ｂ１と垂直支持副板ｃを直交組立て状態または斜交扁平状態に維持し、かつ、これら水平支持板ｂ１と垂直支持副板ｃを直交組立て状態から斜交扁平状態に、また反対に斜交扁平状態から直交組立て状態に回動するのを許容する。
【００４２】
ところで、本発明起伏自在組立て装飾体Ａは、そのままでも一種のメカニックな意外性が装飾的効果をもたらすものであるが、例えば、マンボウの輪郭ｄを描いた上記垂直支持主板ａを、その所要の部位に年月日、曜日等を表示してカレンダーにすると、そのカレンダーを壁等に掲示したとき、垂直支持主板ａが垂直になりマンボウの体型が上記組立て状態になるので、カレンダーとして意外性ととともに装飾的効果を挙げることができる等、付加価値の高い商品を得るのに利用できる。
その出荷輸送または保管等においては、扁平状態にし、嵩張るのを回避できるるから便利である。
【００４３】
【発明の効果】
以上詳述したところから明らかなように、本発明によれば次の効果を奏する。
【００４４】
すなわち、本発明起伏自在組立て装飾体は、複数枚の水平支持板が、その直線辺縁に形成した挿込み噛合手段を、垂直支持主板の挿込み噛合手段に噛合することにより、該垂直支持主板に連繋し、また、その水平支持板と垂直支持副板とが互いの挿込み噛合手段との噛合により連繋し、全体として一種の複合リンク機構をなし、上記各挿込み噛合手段において、垂直支持主板に対し上記水平支持板および垂直支持副板がそれぞれ所定方向に回動して重合し扁平状態になったり、組立て状態になったりするので、従来の公知の立体形成部体の構成、すなわち、切込みまたは折曲線の形状等を変える程度では得られない新鮮または奇抜な表現ができ、起伏自在組立て装飾体として画期的なものである。
【００４５】
また、例えばカレンダーに適用することにより、意外性があり、商品価値を高めるのに大いに寄与する。さらに、上記各挿込み噛合手段は、簡単な構成で製作が容易である。
【図面の簡単な説明】
【図１】本発明起伏自在組立て装飾体を海産魚マンボウの体型に具現化した実施形態の斜視図である。
【図２】薄層パーツである垂直支持主板の正面図である。
【図３】薄層パーツである３枚の水平支持板の平面図である。
【図４】薄層パーツである垂直支持副板の側面図である。
【図５】（ａ）は垂直支持主板に直交する１枚の水平支持板を組み込んだ状態の斜視図、（ｂ）〜（ｄ）は、その（ａ）のＩ−Ｉ線〜ＩＩＩ−ＩＩＩ線における各部の拡大断面図である。
【図６】垂直支持主板に３枚の水平支持板を連繋した状態を、垂直支持副板とともに示す斜視図である。
【図７】（ａ）は垂直支持主板に直交する１枚の水平支持板に垂直支持副板を連繋した状態の斜視図、（ｂ）〜（ｆ）は、その（ａ）のＩＶ−ＩＶ線〜ＶＩＩＩ−ＶＩＩＩ線における各部の拡大断面図である。
【図８】（ａ）は垂直支持主板に直交する１枚の水平支持板に垂直支持副板を連繋するとともに、それらを扁平にしている状態の斜視図、（ｂ）〜（ｄ）は、その（ａ）のＩ−Ｉ線〜ＩＩＩ−ＩＩＩ線における各部の拡大断面図である。
【図９】（ａ）は、図８の（ａ）と同じく垂直支持主板に直交する１枚の水平支持板に垂直支持副板を連繋するとともに、それらを扁平にしている状態の斜視図、（ｂ）〜（ｆ）は、その（ａ）のＩＶ−ＩＶ線〜ＶＩＩＩ−ＶＩＩＩ線における各部の拡大断面図である。
【符号の説明】
ａ                      垂直支持主板
ｂ１，ｂ２，ｂ３        水平支持板
ｃ                      垂直支持副板
ｅ１，ｅ２，ｅ３        挿込み噛合手段
ｆ                      吊下片
ｇ１，ｇ２，ｇ３        挿込み噛合手段
ｈ１，ｈ２，ｈ３        挿込み噛合手段
ｉ１，ｉ２，ｉ３        挿込み噛合手段
５，６，７              切込み線
５′，５″、６′，６″、７′，７″    小透孔
８，９，１０            凸片
１１                    切込み線
１２                    垂直折曲線
１４，１５，１６        細溝
１４′，１５′，１６′  コ字形突枠
１７，１８，１９        細溝
２０                    切込み線
２０′                  凸片
２１，２２，２３        細溝
２４                    切込み線
２５                    凸片
２６                    縦溝
【図１】
2004351113.tif 000003
【図２】
2004351113.tif 000004
【図３】
2004351113.tif 000005
【図４】
2004351113.tif 000006
【図５】
2004351113.tif 000007
【図６】
2004351113.tif 000008
【図７】
2004351113.tif 000009
【図８】
2004351113.tif 000010
【図９】
2004351113.tif 000011
【手続補正書】
【提出日】平成15年6月30日(2003.6.30)
【手続補正１】
【補正対象書類名】明細書
【補正対象項目名】特許請求の範囲
【補正方法】変更
【補正の内容】
【特許請求の範囲】
【請求項１】
（１）  複数枚の水平支持板の各々が、直線辺縁と変形辺縁とからなる輪郭形状をなし、その直線辺縁に挿込み噛合手段を形成するとともに上記変形辺縁寄りに挿込み噛合手段を形成してなり、
垂直支持主板が、上記水平支持板の枚数と同じ数の挿込み噛合手段を形成してなり、
垂直支持副板が、同じく上記水平支持板の枚数と同じ数の挿込み噛合手段を形成してなり、
（２）  これら垂直支持主板と水平支持板とが互いの挿込み噛合手段の噛合により連繋し、また、水平支持板と垂直支持副板とが互いの挿込み噛合手段との噛合により連繋し、全体として一種の複合リンク機構をなし、
（３）  垂直支持主板と垂直支持副板との間に相対的に上下に移動する方向の力が作用すると、上記各挿込み噛合手段において、垂直支持主板に対し上記水平支持板および垂直支持副板がそれぞれ所定方向に回動して重合し扁平状態になり、
（４）  その扁平状態において、垂直支持主板と垂直支持副板との間に上記とは反対方向の力が作用すると、上記各挿込み噛合手段において、垂直支持主板に対し水平支持板および垂直支持副板が、それぞれ上記所定方向とは反対方向に回動して元の組立て状態に戻ることができるようにしてなることを特徴とする起伏自在組立て装飾体。
【請求項２】
上記垂直支持主板が、その上側部分に、所要の切込み線と垂直折曲線で囲繞形成した吊下片を起伏自在に備え、上記垂直支持副板が該吊下片に対向する部位に縦溝を備え、その縦溝を上記吊下片に嵌合してなることを特徴とする請求項１記載の起伏自在組立て装飾体。
【請求項３】
（１）  上記垂直支持主板の挿込み噛合手段が、該垂直支持主板の厚さの約３〜４倍の幅の複数の切込み線を一直線上に所要の間隔で設け、かつ、その各切込み線の両端部に該垂直支持主板の厚さの約３〜４倍の幅にした角形の小透孔を連設し、その間の部分を凸片としてなり、
（２）  上記水平支持板の直線辺縁に形成した挿込み噛合手段が、該各水平支持板の厚さの約３〜４倍の幅で所要長さの細溝を、コ字形突枠により囲繞形成してなり、
（３）  上記コ字形突枠を上記凸片に当接した状態において押し込むことにより、そのコ字形突枠の各短辺と上記記小透孔を噛合させるとともに、上記細溝と凸片を噛合させてなることを特徴とする請求項１または２記載の起伏自在組立て装飾体。
【請求項４】
（１）  上記水平支持板の変形辺縁寄りに複数の挿込み噛合手段が、該各水平支持板の厚さの約３〜４倍の幅で所要長さの細溝を所要の間隔で列設するとともに、前端を該水平支持板の辺縁に開口させた細溝と隣り合う細溝との間を切込み線で接続し、その間の部分を凸片としてなり、
（２）  上記垂直支持副板の複数の挿込み噛合手段が、該垂直支持副板の厚さの約３〜４倍の幅で所要長さの細溝を所要の間隔で列設するとともに、後端を該垂直支持副板の後端辺縁に開口させた細溝と隣り合う細溝との間を切込み線で接続し、その間の部分を凸片としてなり、
（３）  垂直支持副板の挿込み噛合手段の細溝と水平支持板の挿込み噛合手段の細溝とが互いに相手方の無溝部分に噛合するとともに、後者の細溝と前者の凸片が噛合するとともに、前者の凸片と後者の細溝が噛合してなることを特徴とする請求項１，２または３記載の起伏自在組立て装飾体。